(57)【要約】【課題】内容物を運搬するのに適し、かつ、内容物を陳列するのに適した収納ケースを提供する。【解決手段】収納ケース本体１は、正面板２と、背面板３と、２つの側面板４，５と、底面板６とを有する有底矩形筒状に形成されている。切替手段は収納ケース１の天部開口を閉塞する蓋板７と、正面板２に沿って差し込まれる差込部８とを備える。前記切替手段の差込部８を正面板２に沿って差し込むことによって、内容物を外部に露出させることなく運搬に適した収納ケースとすることができ、一方、差込部８を背面板３に沿って差し込むことによって、内容物を外部に露出させた状態で収納する陳列に適した収納ケース１とすることができる。【選択図】図３
2013151302.tif 000002
【特許請求の範囲】
【請求項１】
複数の内容物を収納するための収納ケースであって、
前記内容物を外部に露出させることなく収納し、運搬する運搬用形状と、前記内容物の一部を外部に露出させた状態で収納し、陳列する陳列用形状の二つの形状を切り替える切替手段を備えることを特徴とする収納ケース。
【請求項２】
正面板と、背面板と、２つの側面板と、底面板とを有する収納ケース本体は、有底矩形筒状に形成され、
前記切替手段は、前記背面板から延設された、前記収納ケース本体の天部開口部を閉塞する蓋板と、前記蓋板から延設された、前記正面板に沿って差し込まれる差込部とを備え、
前記差込部の縦長さ寸法は、前記蓋板の縦長さ寸法よりも長いことを特徴とする請求項１に記載された収納ケース。
【請求項３】
前記正面板および前記側面板には、前記正面板および前記側面板の上端部側を切り離すためのミシン目が形成されていることを特徴とする請求項２に記載された収納ケース。
【請求項４】
前記正面板には開口した窓部が形成され、
前記窓部は前記差込部にて閉塞されることを特徴とする請求項２または請求項３に記載された収納ケース。
【発明の詳細な説明】
【技術分野】
【０００１】
本発明は、収納ケースに関し、特に、複数の内容物を収納し運ぶことができ、また複数の内容物を陳列、展示することができる収納ケースに関する。
【背景技術】
【０００２】
従来から、筆記具等の内容物を収納するための収納ケースが知られている。例えば、特許文献１には、筆記具を販売する際に、筆記具を内部に収納して顧客に提供する筆記具用ケース（筆記具用の収納ケース）が示されている。
この特許文献１に示された筆記具用ケースについて、図７に基づいて説明する。図７に示すように、この筆記具用ケース１００は、基板部１０１と、前記基板部１０１の背面側に形成された蓋板部１０２と、前記基板部１０１と前記蓋板部１０２の一端部に形成された底部１０３とを有している。そして、この筆記具用ケース１００は、全体として有底筒状に形成されている。
【０００３】
また、この筆記具用ケース１００の蓋板部１０２の他端部には、前記他端部から延設されたベルト部１０４を有している。このベルト部１０４の先端部を基板部１０１に形成されたスリット部１０１ａに挿入することによって、基板部１０１の他端部側が閉じられる。
また、この筆記具用ケース１００の基板部１０１の中央部分には、窓孔１０１ｂが形成され、この窓孔１０１ｂを介して、収容された内容物である筆記具１０５を視認できる。
【０００４】
前記筆記具用ケース１００はこのように構成されているため、筆記具用ケース１００の内部に筆記具１０５を入れ、前記ベルト部１０２の先端部を基板部１０１に形成されたスリット部１０１ａに挿入し、基板部１０１の他端部側を閉じることによって、筆記具１０５は筆記具用ケース１００内に収容される。
この筆記具用ケース１００によれば、窓孔１０１ｂを介して、筆記具１０５の外観形状を視認できるため、筆記具１０５を箱詰めする包装箱として好適である。
【０００５】
また、筆記具等を収納して、展示するための収納ケースとして、例えば、特許文献２に陳列装置が示されている。この特許文献２に示された陳列装置（収納ケース）について、図８に基づいて説明する。
この陳列装置（収納ケース）１１０は、有底筒状に形成された収納体１１１と、この収納体１１１の側壁より延設された平板状の吊り下げ部１１２とを有している。そして、筆記具１０５を収納体１１１の内部に立てた状態で収納すると共に、吊り下げ部１１２を利用して収納体１１１をフック棒１１３に吊り下げることによって、筆記具１０５を陳列する。
このような陳列装置（収納ケース）１１０によれば、筆記具１０５の一部を外部に露出させた状態で、収容体１１１の内部に収納することができる。そのため、顧客は筆記具１０５の外観形状を視認し易く、陳列装置として好適である。
【先行技術文献】
【特許文献】
【０００６】
【特許文献１】実用新案登録第３０４９８８８号公報
【特許文献２】特開平８−２８２６５４号公報
【発明の概要】
【発明が解決しようとする課題】
【０００７】
ところで、特許文献１に記載された筆記具用ケースは、一つの筆記具を内部に収納することを前提とした筆記具用ケースである。そのため、多数の筆記具を収納することができず、陳列用のケースとして用いるには、適さないという技術的課題があった。特に、この筆記具用ケースの底部面積が小さいため、筆記具を立てた状態で陳列することができないという技術的課題があった。
また、この筆記具用ケースには窓孔が形成されているため、この筆記具用ケースの内部に埃、塵が入り易く、運搬用のケースとして用いるには適さないという技術的課題があった。
【０００８】
また、特許文献２に記載された陳列装置は、内容物を外部に露出させた状態で内部に収納しているので、筆記具を運搬するのには適していないという技術的課題があった。
【０００９】
更に、特許文献１に記載された筆記具用ケースは主に持ち運ぶために、また特許文献２に記載された陳列装置は主に陳列するためのものであって、使用目的に応じて、収容ケースを作成するのは、経済的に好ましくないという技術的課題があった。
【００１０】
本発明は、上記技術的課題を解決するためになされたものであり、筆記具等の内容物を運搬するのに適し、かつ内容物を陳列するのに適した収納ケースを提供することを目的とするものである。
また本発明は、筆記具等の内容物を運搬する際に、収納ケース内への埃、塵の侵入を抑制することができる収納ケースを提供することを目的とするものである。
【課題を解決するための手段】
【００１１】
上記技術的課題を解決するためになされた本発明にかかる収納ケースは、複数の内容物を収納するための収納ケースであって、前記内容物を外部に露出させることなく収納し、運搬する運搬用形状と、前記内容物の一部を外部に露出させた状態で収納し、陳列する陳列用形状の二つの形状を切り替える切替手段を備えることを特徴としている。
【００１２】
このような構成によれば、収納ケースを運搬に適した形状とすることができ、また収納ケースを陳列に適した形状とすることができる。即ち、一つの収納ケースを運搬用、陳列用に用いることができ、別々のケースを製作する場合に比べて経済的である。
【００１３】
ここで、正面板と、背面板と、２つの側面板と、底面板とを有する収納ケース本体は、有底矩形筒状に形成され、前記切替手段は、前記背面板から延設された、前記収納ケース本体の天部開口部を閉塞する蓋板と、前記蓋板から延設された、前記正面板に沿って差し込まれる差込部とを備え、前記差込部の縦長さ寸法は、前記蓋板の縦長さ寸法よりも長いことが望ましい。
【００１４】
この場合には、切替手段は、蓋板と、差込部とを備えているので、差込部を正面板に沿って差し込むことによって、収納ケース本体の天部開口部を蓋板にて閉塞することができる。即ち、このような切替手段によって、内容物を外部に露出させることなく収納する、運搬用形状の収納ケースを得ることができる。
また、前記差込部の縦長さ寸法は、前記蓋板の縦長さ寸法よりも長いので、差込部を背面板に沿って差し込むことによって、収納ケース本体の天部開口部を開放することができる。即ち、このような切替手段によって、内容物を外部に露出させた状態で収納する陳列用形状の収納ケースを得ることができる。
【００１５】
また、前記正面板および前記側面板には、前記正面板および前記側面板の上端部側を切り離すためのミシン目が形成されていることが望ましい。
この場合には、切替手段にて収納ケースを陳列用形状に切り替えた状態において、ミシン目を切り離すことによって、正面板および側面板の上端部の一部を切り離し、収容ケース本体の天部開口部を大きく開放することができる。
その結果、顧客に対して内容物をより視認させることができ、陳列用のケースとしては更に好適である。
【００１６】
また、前記正面板には開口した窓部が形成され、前記窓部は前記差込部にて閉塞されることが望ましい。
この場合には、切替手段にて収納ケースを運搬用形状になされた状態にあっては、窓部は差込部にて閉塞されるので、収納ケースは内容物を外部に露出させることなく、収納することができる。
また、切替手段にて収納ケースを陳列用形状になされた状態にあっては、窓部を介して内容物を外部に露出させることができるので、収納ケースは内容物を外部に露出させた状態で収納することができ、顧客に対して内容物を視認させることができ、陳列用のケースとしては好適である。
【発明の効果】
【００１７】
本発明によれば、内容物を運搬するのに適し、かつ、内容物を陳列するのに適した収納ケースを得ることができる。
【図面の簡単な説明】
【００１８】
【図１】図１は、本発明の一実施形態にかかる収納ケースの斜視図である。
【図２】図２は、図１に示された収納ケースの展開図である。
【図３】図３は、蓋板を開放した状態における収納ケースの斜視図である。
【図４】図４は、差込部を背面板に沿って差し込んだ状態における収納ケースの斜視図である。
【図５】図５は、ミシン目を切り離した状態における収納ケースの斜視図である。
【図６】図６は、搬送用の箱内に、複数の収納ケースを収容する状態を示す斜視図である。
【図７】図７は、特許文献１に示された筆記具用ケースを示す斜視図である。
【図８】図８は、特許文献２に示された陳列装置を示す斜視図である。
【発明を実施するための形態】
【００１９】
以下、本発明の一実施形態にかかる収納ケースについて、図１乃至図６に基づいて説明する。
図１に示すように、収納ケース本体１は、正面板２と、背面板３と、２つの側面板４，５と、底面板６とによって有底筒状に形成され、その横断面及び縦断面が矩形形状に形成されている。尚、以下の説明において、前記２つの側面板４，５のうち、前記収納ケース本体１の左側にある側面板を左側面板４とし、右側にある側面板を右側面板５として説明する。
【００２０】
また、前記収納ケースＡは、図１乃至３に示すように、更に前記背面板３から延設され、前記収納ケース１の天部開口部を閉塞する蓋板７を備え、更に前記蓋板７から延設され、前記正面板２に沿って差し込まれる差込部８を備えている。前記蓋板７と差込部８は、一つの収納ケース本体１を運搬用、陳列用に切り替える切替手段を構成している。
【００２１】
そして、前記差込部８が正面板２に沿って差し込まれた状態においては、収納ケース本体１の天部開口部は、前記蓋板７によって閉じられ箱体状の収納ケースＡとされる。
一方、前記差込部８を前記背面板３に固定することにより、収納ケース本体１の天部の開口状態を維持でき、内容物Ｃ（例えば、筆記具）の一部を外部に露出させた状態で陳列できる収納ケースＡとされる。
【００２２】
更に図２を参照して、前記収納ケース本体１及び前記蓋板７と差込部８の詳細な構成について説明する。
前記収納ケース本体１及び蓋板７、差込部８は、１枚の展開紙面を組み立てることによって形成されている。具体的には、前記正面板２、前記背面板３、前記左側面板４、および前記右側面板５は、それぞれ折り線Ｌ１、Ｌ２、Ｌ３により折り曲げ可能に構成されている。そして、前記背面板３の左側縁には、折り線Ｌ３１を介して貼付け片３１が設けられている。
また、前記正面板２、前記背面板３、前記左側面板４、および前記右側面板５の各下端部には、それぞれ折り線Ｌ６１、Ｌ６２、Ｌ６３、Ｌ６４を介して矩形形状の前記底面板６を形成する各底面板６１、６２、６３、６４が設けられている。
【００２３】
また、前記正面板２は矩形形状に形成され、その正面板２の下方側には、矩形状の前記窓部２１が形成され、この窓部２１の上方側には、左右方向に延びるミシン目２２が形成されている。
この実施形態では、前記正面板２に窓部２１を形成した場合を示したが、前記窓部２１を有していなくても良い。また前記窓部２１を形成する場合、前記矩形状の前記窓部２１に限定されるものでなく、円形形状、三角形状、星形形状等、種々の形状に形成することもができ、単に内容物を確認するという機能の他、装飾効果を得ることもできる。
【００２４】
また、前記背面板３は前記正面板２と同じ縦寸法、横寸法を有し、同じ矩形形状に形成される。この背面板３の上方位置に左右方向に延びる直線状のスリット部３２が形成されている。
【００２５】
また、前記左側面板４は、背面板３と正面板２と同じ縦寸法を有し、同じ矩形形状に形成され、前記正面板２および前記背面板３の間に位置している。
前記左側面板４には、正面板２に形成されたミシン目２２から左上端部までミシン目４１が形成されている。また、前記左側面板４の上端には、折り線Ｌ４２を介して矩形形状の突出板４２が設けられている。
【００２６】
前記右側面板５は、前記正面板２の右側に位置し、前記左側面板４と同じ縦寸法、横寸法を有し、同じ矩形形状に形成されている。
また、前記右側面板５には、前記正面板２に形成されたミシン目２２から右上端部までミシン目５１が形成されている。また、前記右側面板５の上端には、折り線Ｌ５２を介して矩形形状の突出板５２が設けられている。
【００２７】
前記蓋板７は、前記正面板２（背面板３）の横寸法と左側面板４（右側面板５）の横寸法と同じ寸法を有する２辺からなる矩形形状に形成され、前記背面板３の上端に折り線Ｌ７を介して設けられている。
この蓋板７の上端には、折り線Ｌ８１を介して前記差込部８が設けられている。この差込部８は、第１の差込部８１と、前記第１の差込部８１の上端に折り線Ｌ８２を介して設けられた第２の差込部８２とによって構成されている。
【００２８】
また、前記第２の差込部８２の略中央位置に上側に向かって突出する湾曲状に形成された舌状部８３が形成されている。この舌状部８３は、第２の差込部８２に切込みを入れることによって形成される。尚、この舌状部８３は、折り線Ｌ８１で差込部８を折り曲げた際、背面板３のスリット部３２に係止されるように形成されている。
【００２９】
ここで、前記第１の差込部８１の縦寸法ｌ２は、蓋板７の縦寸法ｌ１と等しく形成されている。即ち、第１の差込部８１と蓋板７は、同一の形状寸法に形成され、第１の差込部８１を折り線Ｌ８２で折り曲げた際、前記第１の差込部８１と蓋板７は重なり合う形状になされている。
【００３０】
また、第１の差込部８１と前記第２の差込部８２とを合わせた縦寸法ｌ３は、前記正面板２（前記背面板３）の縦寸法ｌ４と等しく形成されている。即ち、この収納ケース本体１の天部を蓋板７で閉じ、収納ケース本体１内に差込部８を入れ込むと、第２の差込部８２の自由端（折り線Ｌ８２と対向する端部）は、折り線Ｌ６３に位置する。
尚、第１の差込部８１と前記第２の差込部８２とを合わせた縦寸法ｌ３と、前記正面板２（前記背面板３）の縦寸法ｌ４とは必ずしも等しく形成する必要はないが、前記正面板２に窓部２１が形成されている場合には、前記縦寸法ｌ３は、窓部２１を塞ぐ意味から少なくとも正面板２の上端から窓部２１の下端までの縦寸法ｌ５よりも長く形成する必要がある。
【００３１】
以上のように構成された展開紙面を用いて、前記収納ケースを組み立てる場合の操作順序について説明する。
まず、組み立てに際して、前記貼付け片３１の表面には、予め接着剤またはいわゆる両面テープ等の接着層を施しておく。そして、前記折り線Ｌ１〜Ｌ３，Ｌ３１を利用して、前記正面板２、前記背面板３、前記左側面板４、前記右側面板５、および前記貼付け片３１をそれぞれ９０度に折り曲げる。
この際、前記折り線Ｌ６１〜６４を利用して、前記各底面板６１〜６４をそれぞれ９０度に折り曲げる。この時、前記各底面板６１〜６４は互いに重なり合うことになり、これら４枚の底面板６１〜６４がいわゆる卍型に組み込まれ、前記底面板６が形成される。
そして、前記貼付け片３１を前記右側面板５の裏面に接着させることにより、前記収納ケース１は、有底矩形筒状に形成される。
【００３２】
次に、前記折り線Ｌ４２，Ｌ５２を利用して、前記突出板４２，５２を前記収納ケース１の内側に向かって９０度に折り曲げる。
また、前記折り線Ｌ７を利用して、前記蓋板７を９０度に折り曲げるとともに、前記折り線Ｌ８１を利用して、前記第１の差込部８１を９０度に折り曲げる。そして、前記差込部８を前記正面板２に沿って差し込むことによって、すなわち前記差込部８を、前記正面板２と、前記突出板４２，５２との間に差し込むことによって、前記収納ケース本体１の天部の開口を前記蓋板７にて閉塞することができる。
【００３３】
このとき、前記差込部８は所定の縦寸法ｌ３を有しているため、前記正面板２に形成された窓部２１は、前記差込部８にて閉塞される（図１参照）。これにより、前記窓部２１からの埃、塵の侵入を抑制することができる。
以上のように展開紙面を組み立てることによって、収納ケースは完成する。
【００３４】
このような収納ケースに内容物を収納する場合には、図３に示すように、前記蓋板７および前記差込部８を上方に引き出し、前記収納ケース本体１の天部開口から内容物Ｃ（例えば、筆記具）を収納する。そして、前記差込部８を前記正面板２に沿って差し込むことによって、前記収納ケース本体１の天部開口部を前記蓋板７にて閉塞することができる。しかも、前記差込部８によって、前記正面板２に形成された窓部２１は閉じられる。
【００３５】
このようにして、収納ケースＡは、内容物Ｃを外部に露出させることなく内部に収納する、運搬に適した運搬用形状とすることができる。
また、前記窓部２１は、前記差込部８にて閉塞されるので、収納ケースＡ内への埃、塵の侵入を抑制することができる。更に、図６に示すように、複数の収納ケースＡを一つの搬送箱９０内に収容して、運搬するようにしても良い。
【００３６】
また、この収納ケースＡを用いて内容物Ｃ（例えば、筆記具）を陳列する場合について説明する。
まず、内容物Ｃが収容された収納ケースＡの差込部８を引き抜き、収納ケース本体１の天部開口部を開放する（図３参照）。
そして、図４に示すように、前記折り線Ｌ８１を利用して、前記第１の差込部８１を１８０度に折り曲げる。その後、前記差込部８を前記背面板３に沿って差し込む。このとき、前記スリット部３２に前記舌状部８３を係止させることによって、前記差込部８を前記背面板３に固定することができ、収納ケース本体１の天部の開口状態を維持することができる。
【００３７】
このとき、前記収納ケース本体１の窓孔２１は開放された状態であり、内容物は、窓孔２１を介して、その一部を外部に露出させた状態で収納ケース内に収納される。したがって、顧客は収納ケースの天部開口部、窓孔２１を介して、内容物Ｃ（例えば、筆記具）を視認することができる。
尚、図４における前記第１の差込部８１の表面Ｘには、内容物Ｃに関する情報が印刷されている（図示略）。これによって、内容物を陳列した際にアイキャッチ効果を期待することができる。
【００３８】
このように、前記蓋板７と前記差込部８とによって、運搬に適した運搬用形状と、陳列に適した陳列用形状とを切り替えることができ、運搬に用いられた収納ケースを陳列用のケースとして利用することができる。
【００３９】
更に、前記収納ケースＡを陳列用形状とした場合には、図５に示すように、前記ミシン目２２，４１，５１を切り離すことによって、前記正面板２、前記左側面板４、および前記右側面板５を部分的に切り離すことができる。
具体的には、正面板２、左側面板４、右側面板５の上端部側を切り離すことができ、収納ケース本体１の天部開口部を斜めに形成でき、前記天部開口部の面積を大きくすることができる。
これによって、収納ケースは、内容物を更に外部に露出させた状態で収納することができ、顧客に対して商品をより視認させることができる。
【００４０】
尚、本実施形態では、前記正面板２に前記ミシン目２２を形成し、前記左側面板４に前記ミシン目４１を形成し、前記右側面板５に前記ミシン目５１を形成しているが、必ずしも、前記正面板２、前記左側面板４、前記右側面板５に、ミシン目が形成されていなくても良い。
また、本実施形態にあっては、前記収納ケース本体１は、有底矩形筒状に形成された紙製を例にとって説明したが、有底円筒状などの他の形状に形成されていてもよく、プラスチック製などの他の材質であっても良い。
更に、収納ケース本体１に収容される内容物は筆記具に限定されるものではく、棒状の商品であれば良く、例えば化粧用具等にも適用することができる。
【符号の説明】
【００４１】
Ａ          収納ケース
１          収納ケース本体
２          正面板
３          背面板
４          左側面板
５          右側面板
６          底面板
７          蓋板（切替手段）
８          差込部（切替手段）
２１        窓部
２２        ミシン目
３１        貼付け縁
３２        スリット部
４１        ミシン目
４２        突出板
５１        ミシン目
５２        突出板
６１〜６４  底面板
８１        第１の差込部
８２        第２の差込部
８３        舌状部
９０        搬送箱
【図１】
2013151302.tif 000003
【図２】
2013151302.tif 000004
【図３】
2013151302.tif 000005
【図４】
2013151302.tif 000006
【図５】
2013151302.tif 000007
【図６】
2013151302.tif 000008
【図７】
2013151302.tif 000009
【図８】
2013151302.tif 000010